(57)【要約】【課題】  下水道管などの地中管路内に、光ファイバーケーブルに直接張力を加えることなく、且つ弛ませることがなく敷設が可能であって、また複数の光ファイバーケーブルが敷設される本管内に対しては管路の上部側に光ファイバーケーブルを敷設することができ、また敷設作業には高価なロボットを必要としない光ファイバーケーブルの敷設方法を提供する。【解決手段】  光ファイバーケーブル２０に沿って、高強度低伸度性のテンションメンバー２５を長さ方向にスライド可能となるように配置し、当該テンションメンバー２５を地中管路１内に引き込み、マンホール２、３間でテンションメンバー２５に張力を加えて地中管路１内で略直線的に張ることにより、光ファイバーケーブル２０を地中管路１の上部側に敷設し、然る後リング状の拡径材５０、５２でテンションメンバー２５及び光ファイバーケーブル２０を本管１の内壁面に押圧する。【選択図】          図８
2005346105.tif 000002
【特許請求の範囲】
【請求項１】
複数のマンホール（２、３）が設けられた地中管路（１）内に光ファイバーケーブル（２０）を敷設する方法であって、地中管路（１）内に敷設される光ファイバーケーブル（２０）に沿って、高強度低伸度性のテンションメンバー（２５）を光ファイバーケーブル（２０）に対して長さ方向にスライド可能となるように配置し、当該テンションメンバー（２５）を牽引して一のマンホール（２）から地中管路（１）内を通して他のマンホール（３）まで引き込むことにより、前記光ファイバーケーブル（２０）を地中管路（１）内に挿入し、次いでマンホール（２、３）間においてテンションメンバー（２５）に張力を加えて、当該テンションメンバー（２５）を地中管路（１）内の上部側で略直線的に張ることにより、前記光ファイバーケーブル（２０）をテンションメンバー（２５）に沿って地中管路（１）内の上部側に敷設し、然る後地中管路（１）内に所要の箇所にリング状の拡径材（５０、５２）を挿入し、当該拡径材（５０、５２）を拡径してテンションメンバー（２５）及び光ファイバーケーブル（２０）を本管（１）の内壁面に押圧することを特徴とする、光ファイバーケーブルの敷設方法
【請求項２】
前記光ファイバーケーブル（２０）とテンションメンバー（２５）とが、保護管（４５）に挿通されることにより互いに長さ方向にスライド可能となるように並設されていることを特徴とする、請求項１に記載の光ファイバーケーブルの敷設方法
【請求項３】
マンホール（２、３）の間に設けられた本管（１）に少なくとも一本以上の分岐管（４、５）が分岐している地中管路に、本管（１）及び各分岐管（４、５）を経由して光ファイバーケーブル（２０、２１、２２）を敷設する方法であって、本管（１）内に敷設される幹光ファイバーケーブル（２０）及び、当該幹光ファイバーケーブル（２０）から分岐して各分岐管（４、５）内に敷設される分岐光ファイバーケーブル（２１、２２）に沿って、それぞれに高強度低伸度性のテンションメンバー（２５、２６、２７）をそれぞれの光ファイバーケーブルに対して長さ方向にスライド可能に配置し、幹光ファイバーケーブル（２０）に沿わせた幹テンションメンバー（２５）をマンホール（２）から本管（１）内を介して他のマンホール（３）まで、また分岐光ファイバーケーブル（２１、２２）に沿わせた分岐テンションメンバー（２６、２７）をマンホール（２）から本管（１）及び所定の分岐管（４、５）内を経由して分岐管桝（８、９）まで、それぞれ引き込み、それらのテンションメンバー（２５、２６、２７）を牽引して各光ファイバーケーブル（２０、２１、２２）を本管（１）内及び分岐管（４、５）内に挿通し、次いでマンホール（２、３）間及びマンホール（２）と分岐桝（８、９）との間においてテンションメンバー（２５、２６、２７）に張力をかけて、本管（１）内に挿通したテンションメンバー（２５、２６、２７）を本管（１）内の上部側で略直線的に張ることにより、各光ファイバーケーブル（２０、２１、２２）を本管（１）内の上部側に敷設し、然る後地中管路（１）内に所要の箇所にリング状の拡径材（５０、５２）を挿入し、当該拡径材（５０、５２）を拡径してテンションメンバー（２５）及び光ファイバーケーブル（２０）を本管（１）の内壁面に押圧することを特徴とする、光ファイバーケーブルの敷設方法
【請求項４】
マンホール（２、３）の間に設けられた本管（１）に少なくとも一本以上の分岐管（４、５）が分岐している地中管路に、本管（１）及び各分岐管（４、５）を経由して光ファイバーケーブル（２０、２１、２２）を敷設する方法であって、本管（１）内に敷設される幹光ファイバーケーブル（２０）及び、当該幹光ファイバーケーブル（２０）から分岐して各分岐管（４、５）内に敷設される分岐光ファイバーケーブル（２１、２２）に沿って、それぞれに高強度低伸度性のテンションメンバー（２５、２６、２７）をそれぞれの光ファイバーケーブルに対して長さ方向にスライド可能に配置し、幹光ファイバーケーブル（２０）に沿わせた幹テンションメンバー（２５）をマンホール（２）から本管（１）内を介して他のマンホール（３）まで、また分岐光ファイバーケーブル（２１、２２）に沿わせた分岐テンションメンバー（２６、２７）をマンホール（２）から本管（１）及び所定の分岐管（４、５）内を経由して分岐管桝（８、９）まで、それぞれ引き込み、それらのテンションメンバー（２５、２６、２７）を牽引して各光ファイバーケーブル（２０、２１、２２）を本管（１）内及び分岐管（４、５）内に挿通し、次いで本管（１）の分岐管口（６、７）にキャップ型拡径材（６０、６５）を嵌合し、当該キャップ型拡径材（６０、６５）により分岐管口（６、７）で分岐する分岐光ファイバーケーブル（２１、２２）及び分岐テンションメンバー（２６、２７）を、分岐管（４、５）の周縁に沿って分岐管（４、５）内に誘導すると共に、幹光ファイバーケーブル（２０）及び幹テンションメンバー（２５）を分岐管口（６、７）を迂回せしめるすることを特徴とする、光ファイバーケーブルの敷設方法
【請求項５】
マンホール（２、３）の間に設けられた本管（１）に少なくとも一本以上の分岐管（４、５）が分岐している地中管路に、本管（１）及び各分岐管（４、５）を経由して光ファイバーケーブル（２０、２１、２２）を敷設する方法であって、本管（１）内に敷設される幹光ファイバーケーブル（２０）及び、当該幹光ファイバーケーブル（２０）から分岐して各分岐管（４、５）内に敷設される分岐光ファイバーケーブル（２１、２２）に沿って、それぞれに高強度低伸度性のテンションメンバー（２５、２６、２７）をそれぞれの光ファイバーケーブルに対して長さ方向にスライド可能に配置し、幹光ファイバーケーブル（２０）に沿わせた幹テンションメンバー（２５）をマンホール（２）から本管（１）内を介して他のマンホール（３）まで、また分岐光ファイバーケーブル（２１、２２）に沿わせた分岐テンションメンバー（２６、２７）をマンホール（２）から本管（１）及び所定の分岐管（４、５）内を経由して分岐管桝（８、９）まで、それぞれ引き込み、それらのテンションメンバー（２５、２６、２７）を牽引して各光ファイバーケーブル（２０、２１、２２）を本管（１）内及び分岐管（４、５）内に挿通し、次いで分岐管（４、５）内に当該分岐管（４、５）より小径の柔軟で保形性を有するパイプ（７０）を挿入し、分岐管（４、５）内に挿通された分岐光ファイバーケーブル（２１、２２）及び分岐テンションメンバー（２６、２７）を、分岐管（４、５）内面とパイプ（７０）の外面との間に挟持することを特徴とする、光ファイバーケーブルの敷設方法
【請求項６】
マンホール（２、３）の間に設けられた本管（１）に少なくとも一本以上の分岐管（４、５）が分岐している地中管路に、本管（１）及び各分岐管（４、５）を経由して光ファイバーケーブル（２０、２１、２２）を敷設する方法であって、本管（１）内に敷設される幹光ファイバーケーブル（２０）及び、当該幹光ファイバーケーブル（２０）から分岐して各分岐管（４、５）内に敷設される分岐光ファイバーケーブル（２１、２２）に沿って、それぞれに高強度低伸度性のテンションメンバー（２５、２６、２７）をそれぞれの光ファイバーケーブルに対して長さ方向にスライド可能に配置し、幹光ファイバーケーブル（２０）に沿わせた幹テンションメンバー（２５）をマンホール（２）から本管（１）内を介して他のマンホール（３）まで、また分岐光ファイバーケーブル（２１、２２）に沿わせた分岐テンションメンバー（２６、２７）をマンホール（２）から本管（１）及び所定の分岐管（４、５）内を経由して分岐管桝（８、９）まで、それぞれ引き込み、それらのテンションメンバー（２５、２６、２７）を牽引して各光ファイバーケーブル（２０、２１、２２）を本管（１）内及び分岐管（４、５）内に挿通し、次いで分岐管口（６、７）に配置された誘導部材（８０）により、分岐管口（６、７）における分岐テンションメンバー（２６、２７）及び分岐光ファイバーケーブル（２１、２２）を、本管（１）の上部から分岐管口（６、７）の下縁部に誘導し、当該分岐管口（６、７）の下縁と前記分岐管桝（８、９）との間で分岐テンションメンバー（２６、２７）に張力をかけて、分岐管（４、５）の下面に沿って分岐光ファイバーケーブル（２１、２２）を敷設することを特徴とする、光ファイバーケーブルの敷設方法
【請求項７】
前記誘導部材（８０）が、分岐管口（６、７）の上縁から本管（１）上部内に突出して本管（１）内の幹光ファイバーケーブル（２０）及び幹テンションメンバー（２５）を支持するケーブル受け部（８３）と、分岐管口（６、７）の分岐管（４、５）内面に沿って分岐光ファイバーケーブル（２１、２２）及び分岐テンションメンバー（２６、２７）を分岐管口（６、７）の下縁に誘導する誘導部と、分岐管口（６、７）の下縁において分岐光ファイバーケーブル（２１、２２）及び分岐テンションメンバー（２６、２７）を固定する固定部（８５）とを有していることを特徴とする、請求項６に記載の光ファイバーケーブルの敷設方法
【請求項８】
前記誘導部材（８０）における分岐管（４、５）の内方側先端部に、筒状の未硬化ＦＲＰよりなる固定部材（８６）を嵌合し、当該固定部材（８６）を拡開して誘導部材（８０）及び分岐管（４、５）の内面に圧接した状態で硬化させ、誘導部材（８０）を分岐管（４、５）に対して固定することを特徴とする、請求項７に記載の光ファイバーケーブルの敷設方法
【請求項９】
前記誘導部材（８０）が、前記ケーブル受け部（８３）並びに、分岐光ファイバーケーブル（２１、２２）及び分岐テンションメンバー（２６、２７）を支持する支持部（８４）を有する筒体（８１）と、当該筒体（８１）に対して回転自在に嵌合されて前記固定部（８５）を有する回転筒（８２）とよりなり、前記支持部（８４）と固定部（８５）とを一致させた状態でそれらに分岐光ファイバーケーブル（２１、２２）及び分岐テンションメンバー（２６、２７）を挿通し、その誘導部材（８０）を分岐管桝（８、９）から挿入して分岐管口（６、７）に至らしめ、筒体（８１）のケーブル受け部（８３）に幹光ファイバーケーブル（２０）及び幹テンションメンバー（２５）を支持し、回転筒（８２）を筒体（８１）に対して回転して固定部（８５）を分岐管口（６、７）の下部に位置せしめ、分岐光ファイバーケーブル（２１、２２）及び分岐テンションメンバー（２６、２７）を筒体（８１）及び回転筒（８２）の外面を迂回して分岐管口（６、７）の上部から下縁に誘導することを特徴とする、請求項７に記載の光ファイバーケーブルの敷設方法
【請求項１０】
前記誘導部材（８０）が、板状部材（８７）を螺旋状に巻回し、隣接する板状部材（８７）の側縁同志を摺動可能に嵌合してなる管体（８８）の、一端部にケーブル受け部（８３）及び支持部（８４）を形成し、他端部に固定部（８５）を形成したものであって、前記支持部（８４）と固定部（８５）とを一致させた状態でそれらに分岐光ファイバーケーブル（２１、２２）及び分岐テンションメンバー（２６、２７）を挿通し、その誘導部材（８０）を分岐管桝（８、９）から挿入して分岐管口（６、７）に至らしめ、前記ケーブル受け部（８３）に幹光ファイバーケーブル（２０）及び幹テンションメンバー（２５）を支持し、隣接する板状部材（８７）を摺動させることにより管体（８８）を螺旋が緩む方向に捩じり、管体（８８）の径を拡大すると共に固定部（８５）を分岐管口（６、７）の下部に位置せしめ、分岐光ファイバーケーブル（２１、２２）及び分岐テンションメンバー（２６、２７）を管体（８８）の外面を迂回して分岐管口（６、７）の上部から下縁に誘導することを特徴とする、請求項７に記載の光ファイバーケーブルの敷設方法
【請求項１１】
前記誘導部材（８０）の管体（８８）を構成する板状部材（８７）の外面に、水膨潤ゴムよりなるシール材（８９）を止着し、分岐管（４、５）内の水により当該シール材（８９）を膨潤させることにより誘導部材（８０）を分岐管（４、５）に対して気密に固定することを特徴とする、請求項１０に記載の光ファイバーケーブルの敷設方法
【請求項１２】
前記誘導部材（８０）が、両端部が剛直であって中央部がばね弾性を有する変形可能な素材よりなるパイプ（９０）であって、当該パイプ（９０）が直線状に延びた状態で分岐光ファイバーケーブル（２１、２２）及び分岐テンションメンバー（２６、２７）を挿通し、そのパイプ（９０）を分岐管桝（８、９）から挿入して分岐管口（６、７）に至らしめ、当該パイプ（９０）の先端に幹光ファイバーケーブル（２０）及び幹テンションメンバー（２５）を支持し、パイプ（９０）の中央部を捩じることにより分岐管（４、５）の内面に沿った螺旋状に変形せしめ、当該パイプ（９０）内を通じて分岐光ファイバーケーブル（２１、２２）及び分岐テンションメンバー（２６、２７）を分岐管（４、５）の内面に沿って誘導し、パイプ（９０）の後端を分岐管口（６、７）の下部に位置せしめて固定部（８５）とすることを特徴とする、請求項７に記載の光ファイバーケーブルの敷設方法
【請求項１３】
前記誘導部材（８０）が、ばね弾性を有する変形可能な素材よりなるパイプ（９０）の両端をそれぞれ、分岐管（４、５）の内径よりやや大径のリングの一部を切り開いた拡開部材（９１、９２）に固定し、前記パイプ（９０）が直線状に延びた状態で分岐光ファイバーケーブル（２１、２２）及び分岐テンションメンバー（２６、２７）を挿通すると共に、前記拡開部材（９１、９２）を縮径して両端を仮止めし、その誘導部材（８０）を分岐管桝（８、９）から挿入して分岐管口（６、７）に至らしめ、パイプ（９０）の先端に幹光ファイバーケーブル（２０）及び幹テンションメンバー（２５）を支持し、パイプ（９０）の先端部の拡開部材（９１）の仮止めを外して拡開して分岐管（４、５）内面に圧接せしめ、次いでパイプ（９０）の中央部を捩じることにより分岐管（４、５）の内面に沿った螺旋状に変形してパイプ（９０）の後端を分岐管口（６、７）の下部に位置せしめ、パイプ（９０）の後端部の拡開部材（９２）の仮止めを外して拡開して分岐管（４、５）内面に圧接せしめ、前記パイプ（９０）内を通じて分岐光ファイバーケーブル（２１、２２）及び分岐テンションメンバー（２６、２７）を分岐管（４、５）の内面に沿って分岐管口（６、７）の下縁に誘導し、パイプ（９０）の後端を分岐管口（６、７）の下部に位置せしめて固定部（８５）とすることを特徴とする、請求項７に記載の光ファイバーケーブルの敷設方法
【請求項１４】
分岐管（４、５）内に挿通する分岐テンションメンバー（２６、２７）が、本管（１）内の分岐管口（６、７）に相当する部分で、本管（１）内に敷設される幹テンションメンバー（２５）と結束（３１）されていることを特徴とする、請求項３、４、５又は６に記載の光ファイバーケーブルの敷設方法
【請求項１５】
分岐管（４、５）内に挿入する分岐テンションメンバー（２６、２７）は、本管（１）内の分岐管口（６、７）に相当する部分で、本管（１）内に敷設される幹テンションメンバー（２５）から分岐していることを特徴とする、請求項３、４、５又は６に記載の光ファイバーケーブルの敷設方法
【請求項１６】
前記光ファイバーケーブル（２０、２１、２２）とテンションメンバー（２５、２６、２７）とが、保護管（４５）に挿通されることにより互いに長さ方向にスライド可能となるように並設されており、当該保護管（４５）における本管（１）内の分岐管口（６，７）に相当する部分で、分岐光ファイバーケーブル（２１、２２）及び分岐テンションメンバー（２６、２７）が前記保護管（４５）から突出して分岐していることを特徴とする、請求項３、４、５又は６に記載の光ファイバーケーブルの敷設方法
【請求項１７】
テンションメンバー（２５、２６、２７）が筒状であって、当該テンションメンバー（２５、２６、２７）内に光ファイバーケーブル（２０、２１、２２）を挿通することにより、当該光ファイバーケーブル（２０、２１、２２）をテンションメンバー（２５、２６、２７）に対して長さ方向にスライド可能としたことを特徴とする、請求項１、３、４、５又は６に記載の光ファイバーケーブルの敷設方法
【請求項１８】
テンションメンバー（２５、２６、２７）が線状体又は帯状体であって、当該テンションメンバー（２５、２６、２７）に光ファイバーケーブル（２０、２１、２２）を若干弛ませながら部分的に係止（３０）することにより、光ファイバーケーブル（２０、２１、２２）をテンションメンバー（２５、２６、２７）に対して長さ方向にスライド可能としたことを特徴とする、請求項１、３、４、５又は６に記載の光ファイバーケーブルの敷設方法
【請求項１９】
地中管路（１）内に敷設するテンションメンバー（２５）が、断面形状が略Ｕ字状、略Ｖ字状又は略Ｗ字状などの一方に開いた空間部（２８）を有する形状の剛直体よりなり、当該テンションメンバー（２５）の空間部（２８）に光ファイバーケーブル（２０、２１、２２）を設置することにより、当該光ファイバーケーブル（２０、２１、２２）をテンションメンバー（２５）に対してスライド可能としたことを特徴とする、請求項１、３、４、５又は６に記載の光ファイバーケーブルの敷設方法
【発明の詳細な説明】
【技術分野】
【０００１】
本発明は、地中管路、特に下水道管路内に、光ファイバーケーブルを敷設する方法に関するものである。
【０００２】
近年新しい通信方式として、光ファイバーケーブルを伝送媒体とする情報通信ネットワーク作りが各所で検討されている。そして、伝送経路としては、既存の電話回線を光ファイバーケーブルに変更していく方式ではなく、既に各家庭への連絡経路が確立されている下水道管路内に光ファイバーケーブルを敷設する方式が注目を集めている。
【背景技術】
【０００３】
光ファイバーケーブルは、既存のメタルケーブルに比較すると、重量が１／４以下と軽く且つ柔軟であることから、取り扱いやすく、伝送速度や伝送容量が格段に優れているため、次世代の伝送媒体として本命視されている。
【０００４】
しかしながら、光ファイバーケーブルはその素材がガラスから作られているために、破断時伸びが非常に小さいという欠点を有する。従って、光ファイバーケーブルを下水道管に敷設する場合には、光ファイバーケーブルに張力が加わらないように留意して作業を行う必要がある。
【０００５】
また、下水道管の本管には、大容量の情報を伝送させる目的で使用される幹線や枝線と呼ばれる外径が２０mm前後の大口径の光ファイバーケーブルが敷設され、またその本管から各家庭に接続される分岐管内には、引き込み線と呼ばれる外径が５mm程度の比較的細い光ファイバーケーブルが敷設される。
【０００６】
従って、下水道管の中で自然流下方式を採用している管路の中に光ファイバーケーブルを敷設する場合には、下水道本管内を流れる下水の流れを阻害することがないように、幹線や枝線、各引き込み線からなる光ファイバーケーブルを下水道本管の上部側に敷設することが求められる。
【０００７】
一方、本管から分岐する分岐管路の場合は、敷設される引き出し線が細いこともあり、また配管設計が下水道本管は敷設角度が５パーミル（＝０．３度）前後であるのに対し、分岐管路は１０パーミル以上と大きく、且つ本管との接続角度が６０度以上とされていることから、基本的に下水の滞留が生じにくく、本管のように光ファイバーケーブルを強いて上部に敷設する制限は実用上必要が無いと考えられる。
【０００８】
以上の技術的背景の中で、光ファイバーケーブルを下水道本管の上部側に張力を加えることなく敷設する方法として、特公平３−５０４８３号公報及び特開平８−１０３０１２号公報に記載された技術が知られている。
【０００９】
これらの従来技術は、下水道本管内に光ファイバーケーブルを挿入しながら敷設ロボットを挿入し、当該敷設ロボットのアームによって、光ファイバーケーブルを持ち上げて下水道本管内面の上部に押し付け、敷設ロボットに装備しているフックを下水道本管内面に適当間隔で取り付けながら、当該フックに光ファイバーケーブルを引っ掛けていくものである。
【００１０】
これらの技術におけるフックの取り付け方法は、敷設ロボットに内蔵されているドリルで下水道本管内面の上部にフック取り付け穴を穿設し、当該フック取り付け穴内部に接着剤を充填した後に、そのフック取り付け穴にフックを押し込み、フック取り付け穴内部の接着剤を溢れ出させながら、フックを下水道本管内面に固定するものである。
【００１１】
しかしながら、この従来技術の方法は、フック間の光ファイバーケーブルが自重により弛むことが考えられるが、弛みによるクリープ破断を防止するためには、フック間隔を比較的短い間隔で設定しなければならず、フック取り付け作業に対して非常に多くの時間を要していた。
【００１２】
また前記敷設ロボットには、光ファイバーケーブルを押さえつけるためのアーム機構や、フック取り付け穴を穿設するためのドリル機構、接着剤の注入機構、フック取り付け穴にフックを押し込むための機構など、下水道管路内で種々の作業を行うための機構が組み込まれており、構造が複雑であってコストが高いものとなる。下水道管路内に早急に光ファイバーケーブル網を構築させるためには、敷設作業が汎用性のある低コストの技術であることが要求されており、前記公報に記載された方法はなかなか採用されにくいのが実情であった。
【特許文献１】特公平３−５０４８３号公報
【特許文献２】特開平８−１０３０１２号公報
【発明の開示】
【発明が解決しようとする課題】
【００１３】
本発明はかかる事情に鑑みなされたものであって、下水道管などの地中管路内に、光ファイバーケーブルに直接張力を加えることなく、且つ弛ませることなく敷設が可能であって、また複数の光ファイバーケーブルが敷設される本管内に対しては、管路の上部側に光ファイバーケーブルを敷設することができ、また敷設作業に際して高価なロボットを必要とすることのない、光ファイバーケーブルの敷設方法を提供することを目的とするものである。
【課題を解決するための手段】
【００１４】
而して本発明の第一の方法は、複数のマンホールが設けられた地中管路内に光ファイバーケーブルを敷設する方法であって、地中管路内に敷設される光ファイバーケーブルに沿って、高強度低伸度性のテンションメンバーを光ファイバーケーブルに対して長さ方向にスライド可能となるように配置し、当該テンションメンバーを牽引して一のマンホールから地中管路内を通して他のマンホールまで引き込むことにより、前記光ファイバーケーブルを地中管路内に挿入し、次いでマンホール間においてテンションメンバーに張力を加えて、当該テンションメンバーを地中管路内の上部側で略直線的に張ることにより、前記光ファイバーケーブルをテンションメンバーに沿って地中管路内の上部側に敷設し、然る後地中管路内に所要の箇所にリング状の拡径材を挿入し、当該拡径材を拡径してテンションメンバー及び光ファイバーケーブルを本管の内壁面に押圧することを特徴とするものである。
【００１５】
この方法においては、前記光ファイバーケーブルとテンションメンバーとが、保護管に挿通されることにより互いに長さ方向にスライド可能となるように並設されていることが好ましい。
【００１６】
また、本発明の第二の方法は、マンホールの間に設けられた本管に少なくとも一本以上の分岐管が分岐している地中管路に、本管及び各分岐管を経由して光ファイバーケーブルを敷設する方法であって、本管内に敷設される幹光ファイバーケーブル及び、当該幹光ファイバーケーブルから分岐して各分岐管内に敷設される分岐光ファイバーケーブルに沿って、それぞれに高強度低伸度性のテンションメンバーをそれぞれの光ファイバーケーブルに対して長さ方向にスライド可能に配置し、幹光ファイバーケーブルに沿わせた幹テンションメンバーをマンホールから本管内を介して他のマンホールまで、また分岐光ファイバーケーブルに沿わせた分岐テンションメンバーをマンホールから本管及び所定の分岐管内を経由して分岐管桝まで、それぞれ引き込み、それらのテンションメンバーを牽引して各光ファイバーケーブルを本管内及び分岐管内に挿通し、次いでマンホール間及びマンホールと分岐桝との間においてテンションメンバーに張力をかけて、本管内に挿通したテンションメンバーを本管内の上部側で略直線的に張ることにより、各光ファイバーケーブルを本管内の上部側に敷設し、然る後地中管路内に所要の箇所にリング状の拡径材を挿入し、当該拡径材を拡径してテンションメンバー及び光ファイバーケーブルを本管の内壁面に押圧することを特徴とする
【００１７】
また、本発明の第三の方法は、マンホールの間に設けられた本管に少なくとも一本以上の分岐管が分岐している地中管路に、本管及び各分岐管を経由して光ファイバーケーブルを敷設する方法であって、本管内に敷設される幹光ファイバーケーブル及び、当該幹光ファイバーケーブルから分岐して各分岐管内に敷設される分岐光ファイバーケーブルに沿って、それぞれに高強度低伸度性のテンションメンバーをそれぞれの光ファイバーケーブルに対して長さ方向にスライド可能に配置し、幹光ファイバーケーブルに沿わせた幹テンションメンバーをマンホールから本管内を介して他のマンホールまで、また分岐光ファイバーケーブルに沿わせた分岐テンションメンバーをマンホールから本管及び所定の分岐管内を経由して分岐管桝まで、それぞれ引き込み、それらのテンションメンバーを牽引して各光ファイバーケーブルを本管内及び分岐管内に挿通し、次いで本管の分岐管口にキャップ型拡径材を嵌合し、当該キャップ型拡径材により分岐管口で分岐する分岐光ファイバーケーブル及び分岐テンションメンバーを、分岐管の周縁に沿って分岐管内に誘導すると共に、幹光ファイバーケーブル及び幹テンションメンバーを分岐管口を迂回せしめるすることを特徴とするものである。
【００１８】
また、本発明の第四の方法は、マンホールの間に設けられた本管に少なくとも一本以上の分岐管が分岐している地中管路に、本管及び各分岐管を経由して光ファイバーケーブルを敷設する方法であって、本管内に敷設される幹光ファイバーケーブル及び、当該幹光ファイバーケーブルから分岐して各分岐管内に敷設される分岐光ファイバーケーブルに沿って、それぞれに高強度低伸度性のテンションメンバーをそれぞれの光ファイバーケーブルに対して長さ方向にスライド可能に配置し、幹光ファイバーケーブルに沿わせた幹テンションメンバーをマンホールから本管内を介して他のマンホールまで、また分岐光ファイバーケーブルに沿わせた分岐テンションメンバーをマンホールから本管及び所定の分岐管内を経由して分岐管桝まで、それぞれ引き込み、それらのテンションメンバーを牽引して各光ファイバーケーブルを本管内及び分岐管内に挿通し、次いで分岐管内に当該分岐管より小径の柔軟で保形性を有するパイプを挿入し、分岐管内に挿通された分岐光ファイバーケーブル及び分岐テンションメンバーを、分岐管内面とパイプの外面との間に挟持することを特徴とするものである。
【００１９】
また、本発明の第五の方法は、マンホールの間に設けられた本管に少なくとも一本以上の分岐管が分岐している地中管路に、本管及び各分岐管を経由して光ファイバーケーブルを敷設する方法であって、本管内に敷設される幹光ファイバーケーブル及び、当該幹光ファイバーケーブルから分岐して各分岐管内に敷設される分岐光ファイバーケーブルに沿って、それぞれに高強度低伸度性のテンションメンバーをそれぞれの光ファイバーケーブルに対して長さ方向にスライド可能に配置し、幹光ファイバーケーブルに沿わせた幹テンションメンバーをマンホールから本管内を介して他のマンホールまで、また分岐光ファイバーケーブルに沿わせた分岐テンションメンバーをマンホールから本管及び所定の分岐管内を経由して分岐管桝まで、それぞれ引き込み、それらのテンションメンバーを牽引して各光ファイバーケーブルを本管内及び分岐管内に挿通し、次いで分岐管口に配置された誘導部材により、分岐管口における分岐テンションメンバー及び分岐光ファイバーケーブルを、本管の上部から分岐管口の下縁部に誘導し、当該分岐管口の下縁と前記分岐管桝との間で分岐テンションメンバーに張力をかけて、分岐管の下面に沿って分岐光ファイバーケーブルを敷設することを特徴とするものである。
【００２０】
この方法においては、前記誘導部材が、分岐管口の上縁から本管上部内に突出して本管内の幹光ファイバーケーブル及び幹テンションメンバーを支持するケーブル受け部と、分岐管口の分岐管内面に沿って分岐光ファイバーケーブル及び分岐テンションメンバーを分岐管口の下縁に誘導する誘導部と、分岐管口の下縁において分岐光ファイバーケーブル及び分岐テンションメンバーを固定する固定部とを有していることが好ましい。
またこの方法では、前記誘導部材における分岐管の内方側先端部に、筒状の未硬化ＦＲＰよりなる固定部材を嵌合し、当該固定部材を拡開して誘導部材及び分岐管の内面に圧接した状態で硬化させ、誘導部材を分岐管に対して固定することが好ましい。
【００２１】
またこの方法における前記誘導部材の構造としては、前記ケーブル受け部並びに、分岐光ファイバーケーブル及び分岐テンションメンバーを支持する支持部を有する筒体と、当該筒体に対して回転自在に嵌合されて前記固定部を有する回転筒とよりなり、前記支持部と固定部とを一致させた状態でそれらに分岐光ファイバーケーブル及び分岐テンションメンバーを挿通し、その誘導部材を分岐管桝から挿入して分岐管口に至らしめ、筒体のケーブル受け部に幹光ファイバーケーブル及び幹テンションメンバーを支持し、回転筒を筒体に対して回転して固定部を分岐管口の下部に位置せしめ、分岐光ファイバーケーブル及び分岐テンションメンバーを筒体及び回転筒の外面を迂回して分岐管口の上部から下縁に誘導することが好ましい。
【００２２】
また前記誘導部材の構造としては、板状部材を螺旋状に巻回し、隣接する板状部材の側縁同志を摺動可能に嵌合してなる管体の、一端部にケーブル受け部及び支持部を形成し、他端部に固定部を形成したものであって、前記支持部と固定部とを一致させた状態でそれらに分岐光ファイバーケーブル及び分岐テンションメンバーを挿通し、その誘導部材を分岐管桝から挿入して分岐管口に至らしめ、前記ケーブル受け部に幹光ファイバーケーブル及び幹テンションメンバーを支持し、隣接する板状部材を摺動させることにより管体を螺旋が緩む方向に捩じり、管体の径を拡大すると共に固定部を分岐管口の下部に位置せしめ、分岐光ファイバーケーブル及び分岐テンションメンバーを管体の外面を迂回して分岐管口の上部から下縁に誘導することもできる。
【００２３】
この方法においては、前記誘導部材の管体を構成する板状部材の外面に、水膨潤ゴムよりなるシール材を止着し、分岐管内の水により当該シール材を膨潤させることにより誘導部材を分岐管に対して気密に固定することが好ましい。
【００２４】
さらに前記誘導部材の他の例として、両端部が剛直であって中央部がばね弾性を有する変形可能な素材よりなるパイプであって、当該パイプが直線状に延びた状態で分岐光ファイバーケーブル及び分岐テンションメンバーを挿通し、そのパイプを分岐管桝から分岐管に挿入して分岐管口に至らしめ、当該パイプの先端に幹光ファイバーケーブル及び幹テンションメンバーを支持し、パイプの中央部を捩じることにより分岐管の内面に沿った螺旋状に変形せしめ、当該パイプ内を通じて分岐光ファイバーケーブル及び分岐テンションメンバーを分岐管の内面に沿って誘導し、パイプの後端を分岐管口の下部に位置せしめて固定部とすることもできる。
【００２５】
前記誘導部材のさらに他の例として、ばね弾性を有する変形可能な素材よりなるパイプの両端をそれぞれ、分岐管の内径よりやや大径のリングの一部を切り開いた拡開部材に固定し、前記パイプが直線状に延びた状態で分岐光ファイバーケーブル及び分岐テンションメンバーを挿通すると共に、前記拡開部材を縮径して両端を仮止めし、その誘導部材を分岐管桝から挿入して分岐管口に至らしめ、パイプの先端に幹光ファイバーケーブル及び幹テンションメンバーを支持し、パイプの先端部の拡開部材の仮止めを外して拡開して分岐管内面に圧接せしめ、次いでパイプの中央部を捩じることにより分岐管の内面に沿った螺旋状に変形してパイプの後端を分岐管口の下部に位置せしめ、パイプの後端部の拡開部材の仮止めを外して拡開して分岐管内面に圧接せしめ、前記パイプ内を通じて分岐光ファイバーケーブル及び分岐テンションメンバーを分岐管の内面に沿って分岐管口の下縁に誘導し、パイプの後端を分岐管口の下部に位置せしめて固定部とすることもできる。
【００２６】
また前記第二乃至第五の方法においては、分岐管内に挿通する分岐テンションメンバーが、本管内の分岐管口に相当する部分で、本管内に敷設される幹テンションメンバーと結束されていることが好ましい。
【００２７】
また前記第二乃至第五の方法では、分岐管内に挿入する分岐テンションメンバーは、本管内の分岐管口に相当する部分で、本管内に敷設される幹テンションメンバーから分岐していることも好ましいことである。
【００２８】
また前記第二乃至第五の方法においては、前記光ファイバーケーブルとテンションメンバーとが、保護管に挿通されることにより互いに長さ方向にスライド可能となるように並設されており、当該保護管における本管内の分岐管口に相当する部分で、分岐光ファイバーケーブル及び分岐テンションメンバーが前記保護管から突出して分岐しているものとすることもできる。
【００２９】
また本発明の方法においては、テンションメンバーが筒状であって、当該テンションメンバー内に光ファイバーケーブルを挿通することにより、当該光ファイバーケーブルをテンションメンバーに対して長さ方向にスライド可能とすることが好ましい。
【００３０】
さらに本発明の方法においては、テンションメンバーが線状体又は帯状体であって、当該テンションメンバーに光ファイバーケーブルを若干弛ませながら部分的に係止することにより、光ファイバーケーブルをテンションメンバーに対して長さ方向にスライド可能とすることも好ましいことである。
【００３１】
またこれら本発明の方法において、地中管路内に敷設するテンションメンバーが、断面形状が略Ｕ字状、略Ｖ字状又は略Ｗ字状などの一方に開いた空間部を有する形状の剛直体よりなり、当該テンションメンバーの空間部に光ファイバーケーブルを設置することにより、当該光ファイバーケーブルをテンションメンバーに対してスライド可能とすることもできる。
【発明の効果】
【００３２】
本発明によれば、下水道管などの地中管路内に、光ファイバーケーブルに直接張力を加えることなく且つ弛ませることがなく敷設が可能であって、また管路の上部側に光ファイバーケーブルを敷設することができ、また敷設作業に高価なロボットを必要とせず、光ファイバーケーブルの敷設作業を安価に提供することができ、早急な光ファイバーケーブル網を構築することが可能となる。
【００３３】
また本発明により、本管から分岐した分岐管に、本管を経由して分岐光ファイバーケーブル及び分岐テンションメンバーを挿入し、分岐テンションメンバーに張力を作用させることにより、分岐光ファイバーケーブルに張力を作用させることなく、また弛みを生じることなく、分岐管に敷設することができ、各家庭に光ファイバーケーブルを配線することができる。
【００３４】
さらに請求項６の発明によれば、分岐管口に配置された誘導部材により、分岐テンションメンバー及び分岐光ファイバーケーブルを本管の上部から分岐管口の下縁部に誘導し、当該分岐管口の下縁と分岐管桝との間で分岐テンションメンバーに張力を加えるので、分岐光ファイバーケーブルに張力を加えることなく、分岐管の下面に沿って敷設することができる。
【発明を実施するための最良の形態】
【００３５】
以下、図面を参照しつつ、本発明の実施の形態を説明する。なお以下の説明においては管路は下水道管であるものとして説明するが、本発明は地中管路内面にフックなどの冶具を直接取り付けないので、対象となる管路系や管種の制限がない。例えば、鋼管により配管しているガス管路や、鋳鉄管により配管している水道管路、雨水管路、電力ケーブル管路など、あらゆる地中管路に適用可能である。また、上述した管路にマンホールが設けられていない場合には、立抗を形成して本発明を実施することが可能である。
【００３６】
図１は、地中管路の一例としての下水道管路を示すものであって、１は下水道管の本管であり、マンホール２と他のマンホール３との間に配管されている。そしてその本管１の上部側から、分岐管口６、７において分岐管４、５が分岐し、当該分岐管４、５は各家庭（図示せず）毎の分岐管桝８、９にまで接続されている。
【００３７】
一般に本管１は道路に沿って深さ数ｍの位置に敷設されており、図２に示すように当該本管１の斜め側上部に分岐管口６、７が形成され、分岐管４、５は分岐管口６、７から急角度で上昇した後、地表近くで角度を変え、地表に形成された分岐管桝８、９に緩角度で接続されている。
【００３８】
而して本発明においては、マンホール２から他のマンホール３及び分岐管桝８、９までの間に、牽引索１０、１１、１２を通線しておく。通線の方法としては、ワイヤーなどの剛直体を押し込む方法や、パラシュート状の通線具を空気圧で飛ばす方法、自走型管内移動車に接続しておく方法などが知られており、これらの既知の方法を適宜採用することができる。
【００３９】
またマンホール２から他のマンホール３まで及び本管１及び分岐管４、５を経由して分岐管桝８、９までの距離を測長しておき、その長さに対応する光ファイバーケーブル２０、２１、２２を準備しておく。
【００４０】
次いで、図１の下水道管路に対応する長さを有する光ファイバーケーブル２０、２１、２２に、本管１及び分岐管４、５の長さに相当する長さを有するテンションメンバー２５、２６、２７を、光ファイバーケーブル２０、２１、２２がスライド可能となるように結合する。この結合作業そのものは工場内で実施しても良く、また作業現場で実施することもできる。
【００４１】
テンションメンバー２５、２６、２７は、高強度低伸度性の材料よりなり、それが光ファイバーケーブル２０、２１、２２と平行して延び、且つテンションメンバー２５、２６、２７と光ファイバーケーブル２０、２１、２２とが互いに長さ方向にゆとりをもって移動可能となっている。
【００４２】
図３はテンションメンバー２５、２６、２７の一例を示すものであって、ポリパラフェニレンベンゾビスオキサゾール（ＰＢＯ）繊維、アラミド繊維、炭素繊維、金属繊維、ガラス繊維などの高強度低伸度性繊維よりなる、ロープ、紐、ベルトなどの長尺体や、ステンレスワイヤーなどを使用することができる。
【００４３】
そしてそのテンションメンバー２５、２６、２７に対して、光ファイバーケーブル２０、２１、２２が若干弛んだ状態で並設され、その両者が結束用紐状物３０によって部分的に結束されている。
【００４４】
従ってこの構造においては、光ファイバーケーブル２０、２１、２２とテンションメンバー２５、２６、２７とは、結束用紐状物３０で結束されることにより、部分的に多少の融通性を有した状態で結合されており、且つ結束用紐状物３０間においては、光ファイバーケーブル２０、２１、２２はテンションメンバー２５、２６、２７より僅かに長く、全体としてその両者は互いに長さ方向にスライド可能となっている。
【００４５】
また図３においては、分岐管５内に挿入される分岐テンションメンバー２７を、本管１内の分岐管口７に相当する部分で本管１内の幹テンションメンバー２５と、結束用紐状物３１によって結束している。
【００４６】
このようにしておくことで、光ファイバーケーブルを下水道管路内に敷設した後に、分岐管桝９からテンションメンバー２７に張力を加えると、テンションメンバー２５を分岐管口７の部分で分岐管５の方向に手繰り寄せることができ、光ファイバーケーブル２０を本管１の中間地点で本管１内の上部側に引っ張ることが可能となり、光ファイバーケーブル２０をさらに弛むことなく本管１内に敷設することができる。
【００４７】
図４は、光ファイバーケーブル２０、２１、２２に対してテンションメンバー２５、２６、２７をスライド可能に一体化した構造の他の形態を示すものであって、テンションメンバー２５、２６、２７はパイプ状であり、そのテンションメンバー２５、２６、２７の内部に光ファイバーケーブル２０、２１、２２が挿通され、その両者は互いにスライド可能となっている。
【００４８】
図４の（ｂ）はその拡大横断面図であって、テンションメンバー２５、２６、２７は、ステンレスなどの金属パイプ３５の外面に防食用の樹脂被膜３６が被覆されている。金属パイプ３５の内部には、二本の光ファイバー２３の外面に防食用の樹脂被膜２４を被覆した二心型の光ファイバーケーブル２０、２１、２２が挿入されている。なお光ファイバーケーブルは二心型に限らず、四心型その他の形式のものも使用可能である。
【００４９】
金属パイプ３５の内径を光ファイバーケーブル２０、２１、２２の外径より大きく構成することで、光ファイバーケーブル２０、２１、２２は金属パイプ３５内でスライド可能とすることができる。なお金属パイプ３５は柔軟であって屈曲し得るものであることが好ましい。また防食用被膜３６の厚みの内部には、光ファイバー２３と共に線状の高強度低伸度繊維を埋め込んで、長さ方向に対して補強しておくことが好ましい。
【００５０】
図５乃至図７は、本管１内に挿通される光ファイバーケーブル２０、２１、２２に対して、その本管１内の幹テンションメンバー２５をスライド可能に一体化した、さらに他の形態を示すものである。
【００５１】
図５は、断面形状がＵ字状のステンレス鋼材又はＦＲＰ材などの剛直な材料からなる幹テンションメンバー２５であり、その内側の空間部２８に光ファイバーケーブル２０、２１、２２が設置されている。
【００５２】
また図６は断面形状が異なる形態であって、図６（ａ）は断面形状が略Ｖ字状であり、図６（ｂ）は断面形状が略Ｗ字状となっており、その内側の空間部２８に光ファイバーケーブル２０、２１、２２が、図６（ａ）においては１本、図６（ｂ）においては２本設置されている。
【００５３】
なお本発明においては、幹テンションメンバー２５の断面形状は、図５及び図６に示された形状に限定されるものではなく、光ファイバーケーブルを設置するための一方に開いた空間部２８を有する形状であれば足りる。
【００５４】
図７は、幹テンションメンバー２５同士を接続部材２９により連結した状態を示すものである。前述のように幹テンションメンバー２５は剛直体であるので、マンホール２、３からは限られた長さのものしか搬入することができない。そのため本管１の全長に亙ってテンションメンバー２５を敷設するためには、本管１内において接続部材２９により短尺のテンションメンバー部材を連結して、長尺の幹テンションメンバー２５を形成する必要がある。
【００５５】
図７においては、図５又は図６に示される一方に開いた略Ｕ字状、Ｖ字状、Ｗ字状などの断面形状の幹テンションメンバー２５を、前記開いた部分を閉じた形状の筒状の接続部材２９により接続した構造を示している。
【００５６】
この構造において、本管１内の分岐管口６に相当する位置に接続部材２９を設置することにより、幹テンションメンバー２５内に設置された分岐光ファイバーケーブル２１及び分岐テンションメンバー２６を接続部材２９の位置で分岐させて分岐管４に挿通することができ、図３の結束用紐状物３１と同様に、分岐管桝８から分岐テンションメンバー２６に張力を加えて幹テンションメンバー２５を分岐管口６の方向に手繰り寄せ、本管１内において幹光ファイバーケーブル２０を弛むことなく敷設することができる。
【００５７】
而してマンホール２において、光ファイバーケーブル２０、２１、２２をそれぞれ対応するテンションメンバー２５、２６、２７とスライド可能に結合し、各テンションメンバー２５、２６、２７の一端に前記牽引索１０、１１、１２の一端を接続する。
【００５８】
次いで、マンホール３及び各分岐管桝８、９から牽引索１０、１１、１２の他端を引き取ることにより、光ファイバーケーブル２０、２１、２２及びテンションメンバー２５、２６、２７を、本管１内及び分岐管４、５内に挿通し、テンションメンバー２５、２６、２７の他端をマンホール３内及び分岐管桝８、９内に引き出しておく。
【００５９】
この状態において、先ずマンホール２内のテンションメンバー２５、２６、２７の一端をアンカー４０などの固定手段により固定し、次いで、マンホール３及び分岐管桝８、９に設置したターンバックル４１などの巻き上げ手段により、テンションメンバー２５、２６、２７の他端を牽引してテンションメンバー２５、２６、２７に張力を加える。この状態が図８に示されている。
【００６０】
ターンバックル４１の設置箇所は、テンションメンバー２５、２６、２７に張力を加えたときに、テンションメンバー２５、２６、２７が地中管路内の上部側で略直線的に張ることが可能なように、少なくともマンホール３の内部においては、本管１の上部側と同位置か、若しくはそれより高い位置に設けることが好ましい。
【００６１】
なお図８においては、図面を簡略化するために光ファイバーケーブル２０、２１、２２を省略しているが、光ファイバーケーブル２０、２１、２２は既に述べたように、テンションメンバー２５、２６、２７に対してスライド可能に結合されている。
【００６２】
なおテンションメンバー２５、２６、２７に張力を加えるときには、光ファイバーケーブル２０、２１、２２に張力が作用することなく、あくまでもテンションメンバー２５、２６、２７のみに張力が作用するようにする。
【００６３】
特に図４で示す例の場合には、テンションメンバー２５、２６、２７の内部に光ファイバーケーブル２０、２１、２２が挿通されているので、テンションメンバー２５、２６、２７に張力を加えるときに、その内部に挿通された光ファイバーケーブル２０、２１、２２に張力が作用しないような張力付与手段を使用する必要がある。
【００６４】
ここで図８に示したように、分岐テンションメンバー２６、２７を分岐管口６、７で結束用紐状物３１により幹テンションメンバー２５と結束しておくことにより、分岐管桝８、９側から分岐テンションメンバー２６、２７に張力を加えたときに、幹テンションメンバー２５を分岐管口６、７の部分で分岐管４、５の方向に手繰り寄せることができ、マンホール２、３の間で幹テンションメンバー２５に過大な張力をかけることなく、テンションメンバー２５、２６、２７及び光ファイバーケーブル２０、２１、２２を本管１の上部側に位置せしめることが可能となる。
【００６５】
以上の工程により、光ファイバーケーブル２０を本管１内の上部側に敷設することができる。最後に、マンホール２、３内に設けられている光ファイバーケーブルの接続箱（図示せず）に、光ファイバーケーブル２０、２１、２２を接続し、分岐光ファイバーケーブル２１、２２の先端を適宜の箇所に設置された戸別の配線のコネクターに結合して、マンホール２、３間の光ファイバーケーブル２０、２１、２２の敷設が終了する。
【００６６】
本発明においては、テンションメンバー２５、２６、２７を、全て同一の形態としておく必要がなく、各管路の形式により必要に応じて、最適の形態を適宜組み合わせて採用することが可能である。
【００６７】
図９及び図１０において、４５は保護管であって、プラスチックなどの板を管状に丸め、その両側縁を開閉可能に重ねてパイプ状に成形したものである。而してその保護管４５の前記両側縁を開いて、光ファイバーケーブル２０、２１及びテンションメンバー２５、２６を挿入し、再度その弾性によって管状に復し、それらを保護管４５により外方から包み込んで保護している。
【００６８】
またその保護管４５における分岐管口６に相当する位置には透孔４６が穿設されており、保護管４５の内部から当該透孔４６を通して光ファイバーケーブル２１及びテンションメンバー２６が外部に分岐している。４７は保護管４５同士を接続するための接続部材である。
【００６９】
図９及び図１０の例においては、前述の方法によって幹テンションメンバー２５に張力を加えて、当該幹テンションメンバー２５を本管１内の上部側で略直線的に張ることにより、幹テンションメンバー２５を包み込んでいる保護管４５を本管１内の上部側に配置し、当該保護管４５内部に挿入されている光ファイバーケーブル２０、２１、２２も、保護管４５と共に本管１内の上部側に敷設されることとなる。
【００７０】
ところで、本管１内に挿通された幹テンションメンバー２５に張力を加え、テンションメンバー２５、２６、２７及び光ファイバーケーブル２０、２１、２２を本管１の上部側に配置するのであるが、離れたマンホール２、３間において長い幹テンションメンバー２５に張力を加えるだけで、これらを確実に本管１の上部に沿って配置するのは困難であり、重みである程度垂れ下がることは避けられない。
【００７１】
また光ファイバーケーブル２０、２１、２２はテンションメンバー２５、２６、２７に対して緩んだ状態で結合されているので、例えば図３の例においては、光ファイバーケーブル２０、２１、２２がテンションメンバー２５、２６、２７に対して弛みを生じ、本管１内に垂れ下がる。
【００７２】
図１１及び図１２は本発明の第一及び第二の発明を示すものであって、上記のような場合において、光ファイバーケーブル２０、２１、２２及びテンションメンバー２５、２６、２７の弛みを取り除いて、本管１の上部側に確実に配置するための方法を示すものである。
【００７３】
すなわち図１１において、５０は拡径材としての金属リングであって、その外周には光ファイバーケーブル２０、２１、２２及びテンションメンバー２５、２６、２７を収納可能な窪み５１が形成されている。
【００７４】
而して、本管１内で光ファイバーケーブル２０、２１、２２又はテンションメンバー２５、２６、２７が弛んでいる箇所に、壁面を屈曲させて縮径した金属リング５０を挿入し、当該金属リング５０を拡径して本管１内面に圧接し、光ファイバーケーブル２０、２１、２２及びテンションメンバー２５、２６、２７を窪み５１に収容して本管１内面に押圧し、本管１内への垂れ下がりを除いて弛みを除去する。
【００７５】
この操作は、特に光ファイバーケーブル２０、２１、２２又はテンションメンバー２５、２６、２７が本管１内に垂れ下がった箇所においてのみ適用することもできるが、本管１の所定間隔毎に金属リング５０を設置し、後発的な垂れ下がりをも防止することが好ましい。
【００７６】
図１２においては、拡径材はリング状のＦＲＰ材５２よりなっており、これを未硬化の状態で所要の箇所に設置し、それを拡径して光ファイバーケーブル２０、２１、２２及びテンションメンバー２５、２６、２７を本管１内面に押圧し、その状態で硬化させてなるものである。
【００７７】
この例においては、未硬化ＦＲＰ材５２が硬化するのに伴い、拡径材が光ファイバーケーブル２０、２１、２２及びテンションメンバー２５、２６、２７に固着するので、これらの光ファイバーケーブル２０、２１、２２及びテンションメンバー２５、２６、２７と未硬化ＦＲＰ材５２との間に、光ファイバーケーブル２０、２１、２２及びテンションメンバー２５、２６、２７を収納可能な窪み５４を形成した金属片５３を挟んで固着を防止することにより、後で光ファイバーケーブル２０、２１、２２を取り替えることが容易となる。
【００７８】
図１１、図１２の例においては、窪み５１、５４は一箇所だけであったが、本管１内に敷設される光ファイバーケーブル２０、２１、２２及び及びテンションメンバー２５、２６、２７の本数に応じて複数形成しても良い。
【００７９】
また金属リング５０及びＦＲＰ材５２の形状は、リング状に限定するものではなく、板状のものをその端部同士をオーバーラップさせて縮径しておき、該オーバーラップ部をスライドさせて拡径可能とした形状でもよい。
【００８０】
先に図２に基づいて、本管１に対して分岐管４、５が分岐する場合、本管１の斜め側上部に分岐管口６、７が形成されている旨説明した。大部分の分岐はこの構造であり、幹光ファイバーケーブル２０及び幹テンションメンバー２５を本管１の上部中央に沿って敷設すれば、これらが分岐管４、５からの下水の流通に障害となることはない。
【００８１】
しかしながら、個々の本管１及び分岐管４、５によっては、必ずしも厳密にかかる構造が全てであるわけではなく、分岐管４、５の角度や分岐管口６、７の位置がずれて、分岐管の上部中央が分岐管口６、７に掛かっており、幹光ファイバーケーブル２０や幹テンションメンバー２５がこの分岐管口６、７を横切って、下水の流通を阻害する恐れが生じる場合もある。
【００８２】
図１３は第三の発明を示すものであって、かかる場合に光ファイバーケーブル２０、２１、２２及びテンションメンバー２５、２６、２７が、分岐管口６、７を横切ることがないようにした構造を示すものである。
【００８３】
図１３において６０はキャップ型拡径材であって、分岐管４内に挿入される筒部６１と、分岐管口６周縁の本管１内面に当接する鍔部６２より形成されており、筒部６１の先端部は鍔部６２から本管１の内方に突出している。
【００８４】
そして筒部６１における分岐管４内に挿入される箇所には、拡径手段６３が形成されている。拡径手段６３としては、ステンレス製のバネリング、塑性変形により拡開可能の金属リングなどを使用することができ、筒部６１を内側から押し拡げて分岐管４の内面に圧接する。また前記鍔部６２には、分岐光ファイバーケーブル２１及び分岐テンションメンバー２６を通すための凹部６４が形成されている。
【００８５】
而して分岐光ファイバーケーブル２１及び分岐テンションメンバー２６は、筒部６１の先端部の外周に誘導されて凹部６４に至り、当該凹部６４から筒部６１と本管１内面との間を通り、分岐管４、５内に延びている。
【００８６】
また幹光ファイバーケーブル２０及び幹テンションメンバー２５は、筒部６１の先端部の外周を迂回することにより、分岐管口６、７を横切ることなく、本管１の上部中央に沿って延びている。
【００８７】
また図１４に示すように、鍔部６２の下部に光ファイバーケーブル２０、２１及びテンションメンバー２５、２６を位置させることにより、テンションメンバー２５、２６の張力によってキャップ型拡径材６０が分岐管口６から本管１内に外れることを防止することもできる。
【００８８】
図１５はキャップ型拡径材の他の例を示すものであって、筒状基部６６と筒状枝部６７とを略Ｔ字状に結合した形状の、Ｔ字状キャップ型拡径材６５である。管路内に光ファイバーケーブル２０、２１及びテンションメンバー２５、２６を設置した後、このＴ字状キャップ型拡径材６５を縮小した状態で本管１内に挿入して分岐管口６に位置せしめると共に、筒状枝部６７を分岐管４に挿入し、その状態で筒状基部６６及び筒状枝部６７を拡張して、本管１及び分岐管４の内面に圧接する。
【００８９】
これにより分岐管口６を横切っていた光ファイバーケーブル２０、２１及びテンションメンバー２５、２６は拡張された筒状枝部６７によって分岐管口６の周縁部を迂回した経路に寄せられると共に、その位置で筒状基部６６及び筒状枝部６７と本管１及び分岐管４との間に挟持される。
【００９０】
ところで、先にも述べたように分岐管４、５は、本管１の側上部の分岐管口６、７から、急角度で斜めに上昇し、地表近くで上昇角度を変え、緩角度で分岐管桝８、９に接続されている。
【００９１】
このような分岐管４、５に分岐光ファイバーケーブル２１、２２及び分岐テンションメンバー２６、２７を挿通し、分岐テンションメンバー２６、２７に張力を作用させると、分岐管口６、７におけるそれらの位置関係によっては分岐テンションメンバー２６、２７が分岐管４、５内を斜めに横切って、下水の流通を阻害する恐れがある。
【００９２】
図１６は本発明の第四の発明を示すものであって、上記の問題を解決する手段を示すものである。すなわち、分岐管４に分岐光ファイバーケーブル２１及び分岐テンションメンバー２６を挿通し、分岐テンションメンバー２６に張力を作用させた後、分岐管桝８側から分岐管４内に、当該分岐管４よりやゝ小径のフレキシブル保形パイプ７０を挿入し、当該フレキシブル保形パイプ７０によって分岐光ファイバーケーブル２１及び分岐テンションメンバー２６を分岐管４の壁面に寄せ、その分岐光ファイバーケーブル２１及び分岐テンションメンバー２６を分岐管４とフレキシブル保形パイプ７０との間に挟持するのである。
【００９３】
フレキシブル保形パイプ７０としては、例えば曲げ反発性のあるモノフィラメント糸又はワイヤーをよこ糸とし、これとたて糸とで筒状に織成した筒状織布の内面に熱可塑性樹脂のライニングを施したホースや、硬質プラスチックの線材をスパイラル状に配して補強材とした、いわゆるスパイラルホースなどを使用することができる。フレキシブル保形パイプ７０の外径は分岐管４の内径よりやゝ小さく、分岐管４内へ容易に挿入可能とするために、分岐管４内面との間に隙間が生じる程度のものが好ましい。
【００９４】
而して、本管１及び分岐管４に光ファイバーケーブル２０、２１及びテンションメンバー２５、２６を挿通し、テンションメンバー２５、２６に張力を加えた後に、前記フレキシブル保形パイプ７０を分岐管桝８側から分岐管４内に押し込んで挿入する。
【００９５】
図１７は分岐管４内にフレキシブル保形パイプ７０を挿入する状態の他の例を示すものであって、先端部が略砲弾型をなしたバッグ７３を、その先端が突出するようにフレキシブル保形パイプ７０の先端に嵌合し、後部から流体圧注入ホース７４で圧力流体を送入しながら、バッグ７３の先端に結合された牽引索７２を牽引して挿入する。フレキシブル保形パイプ７０を後方から押し込むことと併用することがより好ましい。
【００９６】
さて、先にも述べたように、分岐管４、５は図２に示すように、本管１の側上部の分岐管口６、７から、急角度で斜めに上昇し、地表近くで上昇角度を変えて緩角度で分岐管桝８、９に接続されている。そして光ファイバーケーブル２０、２１、２２及びテンションメンバー２５、２６、２７は本管１の上部中央部に敷設され、そこから分岐した分岐光ファイバーケーブル２１、２２及び分岐テンションメンバー２６、２７が分岐管４、５に挿入されるので、単に分岐テンションメンバー２６、２７に張力を加えると、その分岐テンションメンバー２６、２７は分岐管口６、７の上端から、分岐管４、５における角度を変える変曲位置間での間で分岐管４、５を斜めに横切って敷設されることとなり、下水の流通を阻害する恐れがある。
【００９７】
図１６及び図１７で説明したような方法で流路を確保することもできるが、分岐テンションメンバー２６、２７に張力を作用させた状態でフレキシブル保形パイプ７０を挿入することは困難であり、また不用意に分岐光ファイバーケーブル２１、２２に張力が加わることも考えられ、前記方法は必ずしも十全の方法と言うことはできない。
【００９８】
そこで第五の発明においては、本管１の上部に敷設された幹光ファイバーケーブル２０及び幹テンションメンバー２５から分岐した分岐光ファイバーケーブル２１、２２及び分岐テンションメンバー２６、２７を、分岐管口６、７を迂回して一旦分岐管口６、７の下縁に誘導してこの位置で固定し、この状態で分岐テンションメンバー２６、２７に張力を作用させることにより、分岐光ファイバーケーブル２１、２２及び分岐テンションメンバー２６、２７は分岐管４、５内を横切ることなく、その分岐管４、５の下面に沿って敷設される。
【００９９】
以下図１８乃至図２５に基づいて、第五の発明により、分岐管口６、７において分岐光ファイバーケーブル２１、２２及び分岐テンションメンバー２６、２７を分岐管口６、７の下部に迂回させるための、いくつかの例について説明する。
【０１００】
図１８及び図１９はその一例を示すものである。８０は分岐管４の分岐管口６に設置された誘導部材であって、この誘導部材８０は、筒体８１と回転筒８２とが互いに回転自在に嵌合されている。
【０１０１】
筒体８１は分岐管４、５の内径よりやゝ小さい外径を有しており、その先端部には、本管１内に突出して本管１上部に配置された幹光ファイバーケーブル２０及び幹テンションメンバー２５を支持するケーブル受け部８３が形成されている。またそのケーブル受け部８３に対応する位置の外面には、分岐光ファイバーケーブル２１及び分岐テンションメンバー２６を支持するための支持部８４が形成されている。
【０１０２】
また回転筒８２は筒体８１の後端縁に回転自在に嵌合されており、その外周に分岐光ファイバーケーブル２１及び分岐テンションメンバー２６を固定的に支持するための固定部８５が形成されている。
【０１０３】
而して図１８（ａ）及び図１９（ａ）に示すように、前記筒体８１の支持部８４と回転筒８２の固定部８５とを一致させた状態で、そこに分岐光ファイバーケーブル２１及び分岐テンションメンバー２６を挿通し、その誘導部材８０を分岐管桝８から分岐管４に挿入して、分岐管口６に至らしめる。そして筒体８１のケーブル受け部８３を本管１内に突出させ、そのケーブル受け部８３に幹光ファイバーケーブル２０及び幹テンションメンバー２５を支持する。
【０１０４】
次いで回転筒８２を筒体８１に対して回転して、図１８（ｂ）及び図１９（ｂ）に示すように固定部８５を分岐管口６の下部に位置せしめ、分岐光ファイバーケーブル２１及び分岐テンションメンバー２６を筒体８１及び回転筒８２の外面を迂回して、分岐管口６の上部から下縁に誘導する。
【０１０５】
この状態で分岐管桝８において分岐テンションメンバー２６に張力を作用させると、その分岐テンションメンバー２６の先端は分岐管口６の下縁において固定部８５に固定されているので、分岐光ファイバーケーブル２１及び分岐テンションメンバー２６は分岐管４の傾斜の下側面に沿って配置されることとなり、分岐管４内を横切って流れを阻害することはない。
【０１０６】
なおこの方法においては、誘導部材８０の分岐管４に対する固定が必ずしも確実ではないので、図２０に示すように、誘導部材８０の筒体８１の内面から回転筒８２を経て、分岐管４の内面にかけて、筒状のシールモールディングコンパウンドよりなる硬化性の固定部材８６を嵌合し、当該固定部材８６をその内側に挿入したエアバッグなどにより拡開して、誘導部材８０及び分岐管４の内面に圧接した状態で硬化させ、誘導部材８０を分岐管４に対して強固に固定するのが好ましい。
【０１０７】
なお図２０に示すように、固定部材８６の端部にテーパー面を形成することにより、分岐管４内を流れる固形物が固定部材８６に引っ掛かるのを防止することができ、分岐管４内の流体がスムーズに流れる。
【０１０８】
図２１は誘導部材８０の他の例を示すものである。この例における誘導部材８０は、板状部材８７を螺旋状に巻回し、隣接する板状部材８７の側縁同志を摺動可能に嵌合して、管体８８を形成している。この管体８８を構成する板状部材８７を互いに摺動させることにより捩じることができると共に、そのように捩じることにより径を拡大縮小することができる。
【０１０９】
而して、かかる構造の管体８８の先端部に、ケーブル受け部８３及び支持部８４を形成すると共に、後端部に固定部８５を形成し、管体８８を捩じって支持部８４と固定部８５とが一致し、且つ外径を分岐管４の内径よりやゝ小さい径にまで縮小した状態において、支持部８４及び固定部８５に分岐光ファイバーケーブル２１及び分岐テンションメンバー２６を挿通し、その状態の誘導部材８０を分岐管桝８から挿入し、分岐管口６に至らしめる。
【０１１０】
次いで、ケーブル受け部８３に幹光ファイバーケーブル２０及び幹テンションメンバー２５を支持する。そして管体８８を前記螺旋が緩む方向に捩じり、管体８８の径を拡大して分岐管４、５の内面に圧接せしめると共に、固定部８５を分岐管口６の下部に位置せしめる。これにより分岐光ファイバーケーブル２１及び分岐テンションメンバー２６は管体８８の外面を迂回して分岐管口６の上部から下縁に誘導される。
【０１１１】
この例においては、前記誘導部材８０の管体８８を構成する板状部材８７の外面に、水膨潤ゴムよりなるシール材８９を止着しておくことにより、分岐管４内に存在する水によって当該シール材８９が膨潤し、誘導部材８０を分岐管４に対して気密に固定することができる。
【０１１２】
図２２は誘導部材８０のさらに他の例を示すものである。この例における誘導部材８０は、両端部が剛直であって中央部がばね弾性を有する変形可能な素材よりなるパイプ９０であって、当該パイプ９０の内径は、分岐光ファイバーケーブル２１及び分岐テンションメンバー２６を摺動可能に挿通し得る程度の大きさを有している。
【０１１３】
そしてそのパイプ９０が直線状に延びた状態で、分岐光ファイバーケーブル２１及び分岐テンションメンバー２６を挿通し、そのパイプ９０を分岐管桝８から挿入して分岐管口６に至らしめ、当該パイプ９０の先端を本管１内に突出させてケーブル受け部８３とし、幹光ファイバーケーブル２０及び幹テンションメンバー２５を支持せしめる。
【０１１４】
而してこのパイプ９０の中央部を捩じると、その中央部はその弾性に抗して分岐管４の内面に沿った螺旋状に変形し、その螺旋状のパイプ９０は、その弾性により分岐管４の内面に圧接する。そしてパイプ９０の後端を分岐管口６の下部に位置せしめて固定部８５とする。
【０１１５】
なおこの誘導部材８０が分岐管４内面に圧接された状態が不安定である場合には、パイプ９０の螺旋の内側に、図２０において述べたと同様の固定部材８６を配置し、これを拡開して分岐管４の内面に圧接した状態で硬化させ、誘導部材８０を分岐管４に固定するのが好ましい。
【０１１６】
図２４は、誘導部材８０のさらに他の例を示すものであって、この例における誘導部材８０は図２５に示すように、図２２において説明したと同様のパイプ９０の両端に、リング状の拡開部材９１、９２を固定したものである。拡開部材９１、９２は、金属などのばね弾性を有する変形可能な素材よりなり、分岐管４の内径よりやゝ大径のリングの一部を切り開いた形状をなしている。
【０１１７】
この誘導部材８０は、拡開部材９１、９２を分岐管４の内径より小さい径にまで縮径すると共に、その両端を脱落可能に仮止めしておき、前記パイプ９０が直線状に延びた状態で、そのパイプ９０に分岐光ファイバーケーブル２１及び分岐テンションメンバー２６を挿通する。
【０１１８】
そしてその状態で誘導部材８０を分岐管桝８から挿入して分岐管口６に至らしめ、当該パイプ９０の先端を本管１内に突出させてケーブル受け部８３とし、幹光ファイバーケーブル２０及び幹テンションメンバー２５を支持せしめる。この状態で先端側の拡開部材９１の仮止めを外し、拡開部材９１をその弾性により拡開させて分岐管４、５の内面に圧接して支持させる。
【０１１９】
次いで図２２におけると同様にパイプ９０の中央部を捩じることにより、分岐管４の内面に沿った螺旋状に変形して、パイプ９０の後端を分岐管口６の下部に位置せしめる。そしてパイプ９０の後端部の拡開部材９２の仮止めを外して拡開して分岐管４の内面に圧接せしめる。
【０１２０】
而して図２５（ｂ）に示すように、パイプ９０の中央部を捩じることにより、その中央部はその弾性に抗して分岐管４の内面に沿った螺旋状に変形し、その螺旋はパイプ９０の弾性により分岐管４の内面に圧接すると共に、パイプ９０の両端が拡開部材９１、９２により分岐管口６の下部に固定され、その後端部は固定部８５となる。
【０１２１】
なおこの例において、拡開部材９１、９２における両端部の仮止めは、ホットメルト接着剤で接着して加熱により脱落可能とする構造、適宜の係止構造により着脱自在に係止する構造などを採用することができる。
【０１２２】
また以上の説明においては、分岐管として図１における分岐管４についてのみ記載しているが、分岐管５についても同様であり、またさらに多数の分岐管が設けられている場合においても同様である。また幹光ファイバーケーブル２０及び幹テンションメンバー２５と述べるのは、これらに分岐管４を素通りする分岐光ファイバーケーブル２２及び分岐テンションメンバー２７を並設した状態をも含むものである。
【０１２３】
また本発明においては、図１に示したような隣接する二つのマンホール２、３間に限定されるものではなく、光ファイバーケーブルの敷設距離に応じて、複数のマンホールに跨がって適用することもでき、またその場合には中間にあるマンホールを分岐管４、５と同様に扱うこともできる。
【０１２４】
本発明の方法は、本管１内へ敷設する幹光ファイバーケーブル２０に幹テンションメンバー２５をスライド可能に結合しておくことにより、マンホール２、３間の幹テンションメンバー２５に張力を加え、当該幹テンションメンバー２５を本管１内の上部側で略直線的に張ることで、幹テンションメンバー２５は高強度低伸度性であることから、長さ方向にはほとんど伸びを生じることがなく、従って光ファイバーケーブル２０に無理な引っ張り力を与えることなく、また無用の弛みを生じることもなく、幹テンションメンバー２５に沿って本管１の上部に幹光ファイバーケーブル２０が敷設される。
【０１２５】
また、本管１に分岐管４、５が分岐している管路においても、光ファイバーケーブル２０に対して無理な引っ張り応力を与えずに、弛むことなく、本管１内の上部側に敷設することができると共に、同時に分岐管４、５内にも、分岐テンションメンバー２６に張力を加えて引き込むことにより、各分岐光ファイバーケーブル２１、２２を、無理な引っ張り力を与えることなく分岐管４、５に挿入して敷設することができる。
【０１２６】
また分岐管４、５内へ入線する分岐テンションメンバー２６、２７を、本管１内へ入線するテンションメンバー２５に対して分岐管口６、７に相当する部分で結束３１しておくことにより、分岐テンションメンバー２６、２７により幹テンションメンバー２５を分岐管５の方向に手繰り寄せることが可能となり、幹光ファイバーケーブル２０がさらに弛むことなく本管１内に敷設される。
【０１２７】
さらに、幹光ファイバーケーブル２０及び幹テンションメンバー２５を保護管４５に挿通しておくことにより、当該保護管４５を介して幹テンションメンバー２５と幹光ファイバーケーブル２０とがスライド可能に結合され、幹テンションメンバー２５に張力を加えることにより、保護管４５を介して光ファイバーケーブル２０が本管１内の上部側に敷設される。
【０１２８】
また保護管４５により、分岐管４、５内に入線する分岐光ファイバーケーブル２１、２２及び分岐テンションメンバー２６、２７を、分岐管口６、７に相当する部分で保護管４５から分岐させ、その分岐テンションメンバー２６、２７に張力を作用させることにより分岐管４、５内にも各光ファイバーケーブル２１、２２が無理な引っ張り力が作用することなく挿入される。
【０１２９】
また本管１内に拡径材５０、５２を設置することにより、本管１内に生じた光ファイバーケーブル２０の弛みを、拡径材５０、５２により本管１内面へ押圧して除去することが可能である。
【０１３０】
また分岐管口６、７にキャップ型拡径材６０、６５を嵌合することにより、光ファイバーケーブル２０、２１、２２及びテンションメンバー２５、２６、２７を、それぞれ本管１又は分岐管４、５に移動させ、分岐管口６、７で汚水の流れが阻害されることがなくなる。
【０１３１】
また分岐管４、５内へフレキシブル保形パイプ７０を挿入することにより、分岐管４、５内の汚水の流れをフレキシブル保形パイプ７０内に導き、光ファイバーケーブル２１、２２及びテンションメンバー２６、２７による分岐管４、５内の汚水の流れを阻害することが防止される。
【０１３２】
また分岐管口６、７において、本管１の上部に敷設された幹光ファイバーケーブル２０及び幹テンションメンバー２５から分岐した分岐光ファイバーケーブル２１、２２及び分岐テンションメンバー２６、２７を、分岐管口６、７を迂回して分岐管口６、７の下縁に誘導してこの位置で固定し、この状態で分岐テンションメンバー２６、２７に張力を作用させることにより、分岐光ファイバーケーブル２１、２２及び分岐テンションメンバー２６、２７は分岐管４、５内を横切ることなく、その分岐管４、５の下面に沿って敷設される。
【０１３３】
従って本発明によれば、幹光ファイバーケーブル２０を幹テンションメンバー２５にスライド可能に結合したので、幹テンションメンバー２５に張力を作用させることにより、幹光ファイバーケーブル２０に張力を加えることなく、且つ弛んで本管１内に垂れ下がることなく、本管１の上部側に敷設することができ、地中管路に流体の流通を阻害することなく光ファイバーケーブルを敷設することができる。
【０１３４】
さらに本発明においては、幹光ファイバーケーブル２０を本管１の上部に敷設するために、ロボットなどの高価な装置を必要とせず、光ファイバーケーブルの敷設作業を安価に提供することができると共に、早急に光ファイバーケーブル網を容易に構築することが可能となる。
【０１３５】
また本発明により、本管１から分岐した分岐管４、５に、本管１を経由して分岐光ファイバーケーブル２１、２２及び分岐テンションメンバー２６、２７を挿入し、分岐テンションメンバー２６、２７に張力を作用させることにより、分岐光ファイバーケーブル２１、２２に張力を作用させることなく、また弛みを生じることなく、分岐管４、５に敷設することができ、各家庭に光ファイバーケーブルを配線することができる。
【０１３６】
さらに第五の発明によれば、分岐管口６、７に配置された誘導部材８０により、分岐テンションメンバー２６、２７及び分岐光ファイバーケーブル２１、２２を本管１の上部から分岐管口６、７の下縁部に誘導し、当該分岐管口６、７の下縁と分岐管桝８、９との間で分岐テンションメンバー２６、２７に張力を加えることとなるので、分岐光ファイバーケーブル２１、２２に張力を加えることなく、分岐管４、５の下面に沿って敷設することができる。
【図面の簡単な説明】
【０１３７】
【図１】下水道管路内に牽引索を挿通した状態を示す中央縦断面図
【図２】下水道管の分岐管の設置状態を示す横断面図
【図３】光ファイバーケーブルにテンションメンバーを部分的に係止した状態を示す正面図
【図４】パイプ状のテンションメンバーに光ファイバーケーブルを挿通した状態を示すものであって、（ａ）は斜視図であり、（ｂ）はその拡大横断面図である。
【図５】断面形状がＵ字状のテンションメンバーに光ファイバーケーブルを設置した状態を示す斜視図
【図６】断面形状が異なるテンションメンバーに光ファイバーケーブルを設置した状態を示す横断面図であって、テンションメンバーの断面形状が（ａ）はＶ字状であり、（ｂ）はＷ字状である。
【図７】剛直体からなるテンションメンバーを接続部材により連結した状態を示す、斜視図
【図８】下水道管路内でテンションメンバーに張力を加えた状態を示す、中央縦断面図
【図９】光ファイバーケーブル及びテンションメンバーを保護管に挿通した状態を示す、中央縦断面図
【図１０】図９における（ａ）はＡ−Ａ部分の横断面図、（ｂ）はＢ−Ｂ部分の断面図
【図１１】本管内面に拡径材としての金属リングを嵌合した状態を示す横断面図
【図１２】本管内面に拡径材としてのＦＲＰ材を装着した状態を示す、横断面図
【図１３】分岐管口にキャップ型拡径材を嵌合した状態を示す、中央縦断面図
【図１４】図１３における分岐管口の下面図
【図１５】分岐管口にＴ字状型拡径材を嵌合した状態を示す斜視図
【図１６】分岐管にフレキシブル保形パイプを挿通した状態を示す中央縦断面図
【図１７】図１６において、フレキシブル保形パイプを分岐管内へ挿入している状態を示す中央縦断面図
【図１８】分岐管口に誘導部材を嵌合して光ファイバーケーブル及びテンションメンバーを分岐管口下部に誘導する状態を示す横断面図であって、（ａ）は誘導部材を分岐管口に配置した状態を示し、（ｂ）は回転筒を回転させて分岐管口下部に誘導した状態を示す。
【図１９】図１８における誘導部材を示す斜視図であって、（ａ）は分岐管口に配置した状態、（ｂ）は回転筒を回転させた状態を示す。
【図２０】図１８の誘導部材の内側に固定部材を装着した状態を示す、横断面図
【図２１】誘導部材として板状部材を螺旋状に巻回した管体を使用した例を示す横断面図であって、（ａ）は誘導部材を分岐管口に配置した状態、（ｂ）は管体を捩じった状態を示す。
【図２２】誘導部材としてのパイプを分岐管口に装着した状態を示す、横断面図
【図２３】図２２における誘導部材としてのパイプの斜視図
【図２４】誘導部材として、両端に拡開部材を固定したパイプを使用した状態を示す、横断面図
【図２５】図２４における誘導部材を示す斜視図であって、（ａ）は分岐管口への装着前の状態を示し、（ｂ）は分岐管口に装着した状態を示す。
【符号の説明】
【０１３８】
１  地中管路、本管
２、３  マンホール
４、５  分岐管
６、７  分岐管口
８、９  分岐管桝
２０  幹光ファイバーケーブル
２１、２２  分岐光ファイバーケーブル
２５  幹テンションメンバー
２６、２７  分岐テンションメンバー
２８  空間部
３０、３１  結束用紐状物
４５  保護管
５０、５２  拡径材
６０、６５  キャップ型拡径材
７０  フレキシブル保形パイプ
８０  誘導部材
８１  筒体
８２  回転筒
８３  ケーブル受け部
８４  支持部
８５  固定部
８６  固定部材
８７  板状部材
８８  管体
８９  シール材
９０  パイプ
９１、９２  拡開部材
【図１】
2005346105.tif 000003
【図２】
2005346105.tif 000004
【図３】
2005346105.tif 000005
【図４】
2005346105.tif 000006
【図５】
2005346105.tif 000007
【図６】
2005346105.tif 000008
【図７】
2005346105.tif 000009
【図８】
2005346105.tif 000010
【図９】
2005346105.tif 000011
【図１０】
2005346105.tif 000012
【図１１】
2005346105.tif 000013
【図１２】
2005346105.tif 000014
【図１３】
2005346105.tif 000015
【図１４】
2005346105.tif 000016
【図１５】
2005346105.tif 000017
【図１６】
2005346105.tif 000018
【図１７】
2005346105.tif 000019
【図１８】
2005346105.tif 000020
【図１９】
2005346105.tif 000021
【図２０】
2005346105.tif 000022
【図２１】
2005346105.tif 000023
【図２２】
2005346105.tif 000024
【図２３】
2005346105.tif 000025
【図２４】
2005346105.tif 000026
【図２５】
2005346105.tif 000027